【手続補正書】
【提出日】平成22年2月23日(2010.2.23)
【手続補正１】
【補正対象書類名】特許請求の範囲
【補正対象項目名】全文
【補正方法】変更
【補正の内容】
【特許請求の範囲】
【請求項１】
ドラムブレーキのブレーキパッドバッキング（１）であって、
少なくとも１つの摩擦パッド（３）を受容するよう機能するバッキング面（２）と、当該ブレーキパッドバッキング（１）の材料部（５、５’）を成形することによって作成、特に曲げ加工することによって作成される、前記バッキング面（１）の内部に配置された少なくとも１つの開口（４、４’）とを有し、
前記摩擦パッド（３）が前記バッキング面（２）に対して押圧されたときに、前記材料部（５、５’）が前記開口（４、４’）と共にインプレッションキャビティ（６）を形成するように、前記材料部（５、５’）が当該ブレーキパッドバッキング（１）に対して成形され、
前記材料部（５、５’）が当該ブレーキパッドバッキング（１）から加圧方向（７）に所定の角度αで突出することを特徴とする、ブレーキパッドバッキング。
【請求項２】
当該ブレーキパッドバッキング（１）と前記材料部（５、５’）との間の前記所定の角度αが１０°〜６０°の間、好ましくは２５°〜４５°の間であることを特徴とする、請求項１に記載のブレーキパッドバッキング。
【請求項３】
前記角度αを変化させることができることを特徴とする、請求項１または２に記載のブレーキパッドバッキング。
【請求項４】
幾つかの開口（４、４’）および材料部（５、５’）が設けられ、前記開口（４、４’）および前記材料部（５、５’）が好ましくは少なくとも１列（１４、１４’）に配列されることを特徴とする、請求項１〜３のいずれか一項に記載のブレーキパッドバッキング。
【請求項５】
前記材料部（５、５’）および該材料部に関係する開口（４、４’）が列（１４、１４’）内で実質的に同一配列となっていることを特徴とする、請求項４に記載のブレーキパッドバッキング。
【請求項６】
少なくとも２列（１４、１４’）が設けられ、前記開口（４、４’）および前記関係する材料部（５、５’）が同一方向に配列されることを特徴とする、請求項４または５に記載のブレーキパッドバッキング。
【請求項７】
少なくとも２列が設けられ、前記開口および前記関係する材料部が反対方向に配列されることを特徴とする、請求項４または５に記載のブレーキパッドバッキング。
【請求項８】
前記開口（４、４’）が少なくとも前記摩擦パッド（３）の縁領域に、好ましくは前記摩擦パッド（３）の縁に隣接して配置されることを特徴とする、請求項４〜７のいずれか一項に記載のブレーキパッドバッキング。
【請求項９】
前記少なくとも１列（１４、１４’）または少なくとも２列（１４、１４’）が前記ブレーキパッドバッキング（１）の長手軸（１５）の方向に延びることを特徴とする、請求項４〜８のいずれか一項に記載のブレーキパッドバッキング。
【請求項１０】
前記少なくとも１つの材料部（５、５’）がタブとして構成され、その輪郭が好ましくは分離法によって、特に打抜きまたは切削によって作成されることを特徴とする、請求項１〜９のいずれか一項に記載のブレーキパッドバッキング。
【請求項１１】
当該ブレーキパッドバッキングが湾曲状または略平坦に構成されることを特徴とする、請求項１〜１０のいずれか一項に記載のブレーキパッドバッキング。
【請求項１２】
ドラムブレーキのブレーキパッドバッキングプレート（１）であって、
少なくとも１つの摩擦パッド（３）を受容するように働くバッキング面（２）と、例えばブレーキドラムのようなブレーキアセンブリの収容体内で当該ブレーキパッドバッキングプレート（１）を案内する少なくとも１つの側方ガイド（２０）とを有し、
前記側方ガイド（２０）が、当該ブレーキパッドバッキングプレート（１）の関連する長手方向側部（１０）における幾つかの縁部（１１、１２、１３）に設けられた、当該ブレーキパッドバッキングプレート（１）の折曲げ縁（８）、好ましくは折り畳まれた縁（８）によって形成され、もって、前記関連する長手方向側部（１０）が前記摩擦パッド（３）用の前記バッキング面（２）の脇に配置されることを特徴とする、ブレーキパッドバッキングプレート。
【請求項１３】
前記折曲げ縁（８）の外向きの表面（９）が摺動面を形成し、それによって当該ブレーキパッドバッキングプレート（１）が、前記ブレーキアセンブリの前記収容体に沿って案内されるように移動することができることを特徴とする、請求項１２に記載のブレーキパッドバッキングプレート。
【請求項１４】
前記折曲げ縁（８）を前記摩擦パッド（３）とは反対方向に向けることを特徴とする、請求項１２または１３に記載のブレーキパッドバッキングプレート。
【請求項１５】
前記折曲げ縁（８）が、当該ブレーキパッドバッキングプレート（１）の前記関係する長手方向側部（１０）における少なくとも３つの縁部（１１、１２、１３）にタブの形で構成されることを特徴とする、請求項１４に記載のブレーキパッドバッキングプレート。
【請求項１６】
前記縁部（１１、１２、１３）が前記長手方向側部（１０）の長さ全体にわたって、好ましくは等距離に分散するように配置されることを特徴とする、請求項１５に記載のブレーキパッドバッキングプレート。
【請求項１７】
請求項１〜１１のいずれか一項に記載の少なくとも１つの開口（４、４’）を持つブレーキパッドバッキング（１）と、
前記ブレーキパッドバッキング（１）に対し摩擦材を押圧することによって作成される摩擦パッド（３）と
を備える、ドラムブレーキのバッキング／摩擦パッドユニット（３０）であって、
前記摩擦材が、前記開口（４、４’）に押し込まれて、確実な嵌合により前記摩擦パッド（３）を前記ブレーキパッドバッキング（１）に保持する確実な嵌合要素（１６）となることを特徴とする、バッキング／摩擦パッドユニット。
【請求項１８】
前記確実な嵌合要素（１６）が、前記開口（４、４’）を越えて突出する、好ましくはリベットヘッド（１６’）の形の肥厚領域を有することを特徴とする、請求項１７に記載のバッキング／摩擦パッドユニット（３０）。
【請求項１９】
ブレーキパッドバッキング上に摩擦パッド（３）を作成する加圧装置のブレーキパッドバッキング支持体（４０）であって、
請求項１〜１１のいずれか一項に記載のブレーキパッドバッキング（１）を当該ブレーキパッドバッキング支持体（４０）上に配置することができ、かつ当該ブレーキパッドバッキング支持体（４０）が前記ブレーキパッドバッキング（１）の開口（４、４’）に対応する少なくとも１つの凹所（４２）を有する、ブレーキパッドバッキング支持体（４０）において、
前記凹所（４２）が、前記開口（４、４’）に属する前記ブレーキパッドバッキング（１）の前記材料部（５、５’）を受容するように構成されることを特徴とする、ブレーキパッドバッキング支持体。
【請求項２０】
前記少なくとも１つの凹所（４２）が前記ブレーキパッドバッキング（１）の材料部（５、５’）のための接触面（１７）を有し、前記接触面が好ましくは前記開口（４、４’）の前記境界面に対して所定の角度に配置されることを特徴とする、請求項１９に記載のブレーキパッドバッキング支持体。
【請求項２１】
加圧手順中に前記開口（４、４’）に押し込まれる摩擦材を、確実な嵌合により前記摩擦パッド（３）を前記ブレーキパッドバッキング（１）に保持する確実な嵌合要素（１６）に成形することができるように、前記少なくとも１つの凹所（４２）が構成されることを特徴とする、請求項１９または２０に記載のブレーキパッドバッキング支持体。
【請求項２２】
前記少なくとも１つの凹所（４２）が、前記ブレーキパッドバッキング（１）の前記開口（４、４’）を越えて突出する肥厚領域、特にリベットヘッド（１６’）を形成するように構成されることを特徴とする、請求項２０または２１に記載のブレーキパッドバッキング支持体。